(57)【要約】【課題】本発明は、番組表の視認性を損なうことなく、ユーザーが選んだ番組に関して知りたい詳細番組情報を容易に確認することができる手段を提供することを目的とする。【解決の手段】ユーザーからの操作を受けるユーザー操作受信部６と、ユーザーの操作によって移動するカーソル位置を保持するカーソル位置保持部７と、ポップアップ表示のＯＮ／ＯＦＦを制御するポップアップ表示制御部９と、ポップアップ表示用のデータ構築するポップアップ表示構築部８と、番組表とポップアップ表示を行う番組表表示部１０を用いる。【選択図】  図１
2005020354.tif 000002
【特許請求の範囲】
【請求項１】
番組情報が付加されたテレビジョン放送信号に付加され番組情報から、番組情報を表示するマスを格子状に配列した番組表を構成する番組表構築部と、前記マスを移動するカーソルの位置を保持するカーソル位置保持部と、前記番組情報をポップアップ表示データへ構成するポップアップ表示データ構築部とを備え、前記カーソルの位置が一定時刻変化が無い場合に前記ポップアップ表示データ構築部で作成されたポップアップ表示データを画面へ表示することを特徴とするテレビジョン受信機。
【請求項２】
番組情報が付加されたテレビジョン放送信号を受信する放送受信部と、前記放送受信部で得たテレビジョン放送信号から番組情報を抜き出す番組情報取得部と、前記番組情報取得部で得た番組情報を保持する番組情報記憶部と、前記番組情報記憶部で保持されている番組情報から必要な情報を取りだす番組情報読出し部と、前記番組情報読み出し部で得られた番組情報から番組開始時刻および番組タイトルを各マスに配し、前記マスを情報時刻およびチャンネルからなる格子状に配列した番組表を構成する番組表構築部と、ユーザーの操作を受け付けるユーザー操作受信部と、前記ユーザー操作受信部から与えられるユーザーの操作によって前記番組表内の各マスを移動するカーソルの位置を保持するカーソル位置保持部と、前記番組表構築部で得られた格子状番組表において、現在のカーソル位置に記載されている番組について、前記番組情報読み出し部で得られた番組情報内の詳細番組情報をポップアップ表示データへ構成するポップアップ表示データ構築部と、前記ユーザー操作受信部で得られたユーザーの操作が、一定時刻変化が無い場合に前記ポップアップ表示データ構築部で作成されたポップアップ表示データを画面へ表示し、一定時刻以内に変化があった場合前記ポップアップ表示データ構築部で作成されたポップアップ表示データを画面へ表示しない表示／非表示を制御するポップアップ表示制御部と、前記カーソル位置保持部で保持された格子状の番組表を画面上に表示する番組表表示部と前記ポップアップ表示制御部で制御されるポップアップ表示の表示／非表示によって前記ポップアップ表示データ構築部によって構築されるポップアップ表示データを画面上にポップアップ表示する前記番組表表示部とを有するテレビジョン受信機。
【請求項３】
ポップアップ表示データ構築部で構築されるポップアップ表示データの内容をユーザーがあらかじめ指定し、設定値を記憶しておくユーザー指定詳細番組情報記憶部と、前記ユーザー指定詳細番組情報記憶部によって指定された詳細番組情報をポップアップ表示データへ構築するポップアップ表示データ構築部を有する請求項１記載のテレビジョン受信機。
【発明の詳細な説明】
【０００１】
【発明の属する技術分野】
本発明は、番組表からユーザーが選択した番組の詳細情報を自動的に番組表の上にポップアップ表示することができる番組表表示手段を有するテレビジョン受信機に関するもので有る。
【０００２】
【従来の技術】
従来の番組内容などの詳細番組情報を表示する番組表は、画面上の番組表表示の一部を詳細番組情報表示領域に割り当てて表示している（例えば、特許文献１参照）。また、詳細番組情報の内容の一部をある特定データに変換して番組表内に表示しているものもある（例えば、特許文献２参照）。
【０００３】
しかし、前記方法を用いると番組表の表示に関して画面上で表示面積や表示文字数に制限が出てしまい、視認性を損なっていた。
【０００４】
【特許文献１】
特開平１１−２６６４０９号公報
【特許文献２】
特開平８−２８９２０１号公報
【０００５】
【発明が解決しようとする課題】
本発明は、番組表の視認性を損なうことなく、ユーザーが選んだ番組に関して知りたい詳細番組情報を容易に確認することができる手段を提供することを目的とする。
【０００６】
【課題を解決するための手段】
上記課題を解決するために、本発明では詳細表示を行うために番組表のデザインを変えることなく、番組表の上にポップアップ表示として詳細情報を描画することにより視認性を損なうことなく、ユーザーが容易に詳細情報を得ることができる。ポップアップ表示は、ユーザーは詳細情報を見たい番組にユーザーの操作によりカーソルを移動させ、一定期間カーソルを保持しておくことにより、詳細情報をポップアップ表示する。
【０００７】
【発明の実施の形態】
本発明の発明は、番組情報が付加されたテレビジョン放送信号を受信する放送受信手段と、前記放送受信手段で得たテレビジョン放送信号から番組情報を抜き出す番組情報取得手段と、前記番組情報取得手段で得た番組情報を保持する番組情報記憶手段と、前記番組情報記憶手段で保持されている番組情報から必要な情報を取りだす番組情報読出し手段と、前記番組情報読み出し手段で得られた番組情報から番組開始時刻および番組タイトルを各マスに配し、前記マスを情報時刻およびチャンネルからなる格子状に配列した番組表を構成する番組表構築手段と、ユーザーの操作を受け付けるユーザー操作受信手段と、前記ユーザー操作受信手段から与えられるユーザーの操作によって前記番組表内の各マスを移動するカーソルの位置を保持するカーソル位置保持手段と前記番組表構築手段で得られた格子状番組表において、現在のカーソル位置に記載されている番組について、前記番組情報読み出し手段で得られた番組情報内の詳細番組情報をポップアップ表示データへ構成するポップアップ表示データ構成手段と、前記ユーザー操作受信手段で得られたユーザーの操作が、一定時刻変化が無い場合に前記ポップアップ表示データ構成手段で作成されたポップアップ表示データを画面へ表示し、一定時刻以内に変化があった場合前期ポップアップ表示データ構成手段で作成されたポップアップ表示データを画面へ表示しない表示／非表示を制御するポップアップ表示制御手段と、前記記憶手段で保持された格子状の番組表を画面上に表示する番組表表示手段と、前記ポップアップ表示制御手段で制御されるポップアップ表示の表示／非表示によって前期ポップアップ表示データ構成手段によって構成されるポップアップ表示データを画面上に表示する前期番組評表示手段、を有するテレビジョン受信機で、画面上に表示された番組表のカーソルのある番組の全ての番組詳細情報が自動的にポップアップ表示され、ユーザーは容易に番組の詳細情報を得る事ができる。
【０００８】
また本発明のテレビジョン受信機は、ポップアップ表示データ構築部によって構築されるポップアップ表示データを画面上の番組表にポップアップ表示する際、前記カーソル位置保持部によって保持される番組表のカーソルが画面の端に保持されている場合に前記ポップアップ表示を画面の中央側に表示する手段を持つ番組表表示部をさらに備え、番組表上のカーソルが画面の端に保持されている場合、詳細番組情報のポップアップ表示が画面の中央側に表示され必ず画面上に表示される。
【０００９】
また本発明のテレビジョン受信機は、前記ポップアップ表示データ構築部で構築されるポップアップ表示データの内容をユーザーがあらかじめ指定し、設定値を記憶しておくユーザー指定詳細番組情報記憶部と、前記ユーザー指定詳細番組情報記憶部によって指定された詳細番組情報をポップアップ表示データへ構築するポップアップ表示データ構築部をさらに備え、ユーザーが予めポップアップ表示データとして表示したい内容を指定することができ、指定した内容の詳細番組情報がポップアップ表示データとして、画面上にポップアップ表示され、ユーザーにとって必要な情報のみを表示することができる。
【００１０】
また本発明のテレビジョン受信機は、前記ポップアップ表示データ構築部によって構築されるポップアップ表示データを、詳細番組情報の内容ごとにメニュー形式でデータを構築する詳細番組情報メニュー構築部と前記詳細番組情報メニュー構築部によって構築された詳細番組情報メニューに沿って、ポップアップ表示データを構築するポップアップ表示データ構築部をさらに有するテレビジョン受信機で、ポップアップ表示内に書斎番組情報がすべて羅列され、視認性を損なう場合があり、内容の項目ごとにメニューを用いて詳細番組情報の内容項目と必要な情報だけをポップアップ表示後に選択し表示することができる。
【００１１】
また本発明のテレビジョン受信機は、前記ポップアップ表示データ構築部で構築されるポップアップ表示データの内容をユーザーがあらかじめ指定し、設定値を記憶しておくユーザー指定詳細番組情報記憶部と、詳細番組情報の内容ごとにメニュー形式でデータを構築する詳細番組情報メニュー構築部と、前記ユーザー指定詳細番組記憶部と前記詳細番組情報メニュー構築部から与えられるユーザー指定詳細番組情報と詳細番組情報メニューより指定詳細番組情報とその他詳細番組情報メニューからポップアップ表示データに構築するポップアップ表示データ構築部をさらに有するテレビジョン受信機で、ユーザーが指定した詳細番組情報だけでなく、その他の詳細番組情報も項目ごとのメニューとしてポップアップ表示し、ユーザーが指定した詳細番組情報以外の情報もポップアップ表示後に選択することができる。
【００１２】
また本発明のテレビジョン受信機は、前記ポップアップ表示データ構築部で構築されるポップアップ表示データの内容をユーザーがあらかじめ指定し、設定値を記憶しておくユーザー指定詳細番組情報記憶部と、詳細番組情報の内容ごとにメニュー形式でデータを構築する詳細番組情報メニュー構築部と前記ユーザー指定詳細番組記憶部と前記詳細番組情報メニュー構築部から与えられるユーザー指定詳細番組情報と詳細番組情報メニューより指定詳細番組情報とその他詳細番組情報メニューからポップアップ表示データに構築するポップアップ表示データ構築部をさらに有するテレビジョン受信機で、ユーザーが指定した詳細番組情報だけでなく、その他の詳細番組情報も項目ごとのメニューとしてポップアップ表示し、ユーザーが指定した詳細番組情報以外の情報もポップアップ表示後に選択することができる。
【００１３】
（実施の形態１）
本発明のテレビジョン受信機の実施の形態例において図面を用いて説明する。
図１は本実施の形態のテレビジョン受信機の構成例を記す図である。図１において、番組情報が付加されたテレビジョン放送信号を放送受信部１が受信し、番組情報取得部２は放送受信情報ａから番組情報ｂを取得する。番組情報記憶部３は番組情報取得部２で取得した番組情報ｂを記憶する。番組情報読み出し部４は番組情報記録部３に記憶されている番組情報ｂを読み出し、ポップアップ表示構築部９へ詳細番組情報ｃを送信する。
【００１４】
番組表構築部５は番組情報読み出し部４が読み出した番組情報ｂから、番組表を構築し、番組表表示部１０へ送信し、そして画面上に番組表が表示される。また、ユーザー操作受信部６はユーザーの操作を受信し、カーソルの位置情報をあらわすカーソル位置データｄを、カーソル位置保持部７、ポップアップ表示制御部８へ送信する。
【００１５】
カーソル位置保持部７はカーソル位置データｄを受け、ポップアップ表示構築部８と、番組表表示部１０へ送信され、ポップアップ表示構築部８はポップアップ表示データｆを番組表表示部１０へ送信し、番組表表示部は番組表中のカーソルをカーソル位置データｄにしたがって表示する。ポップアップ表示制御部９はユーザー操作受信部６から受け取るカーソル位置データｄが一定期間変化がなければ、番組表表示部１０へポップアップ表示のＯＮ／ＯＦＦ制御データｇを送信する。
【００１６】
ポップアップ表示のＯＮ／ＯＦＦ制御データｇを受け取った番組表表示部１０はそのデータにしたがって、ポップアップ表示のＯＮ／ＯＦＦを行う。
【００１７】
上記手順により、画面上にユーザーが操作するカーソルのある番組の詳細情報がポップアップ表示される。
【００１８】
以上のように、本実施の形態例によれば、視認性を損なうことなく、番組表の上にポップアップ表示として詳細情報を描画することにより視認性を損なうことなく、ユーザーが容易に詳細情報を得ることができる。
【００１９】
（実施の形態２）
（実施の形態１）のテレビジョン受信機において、ユーザー操作受信部（６）から得られたカーソル位置データ（ｄ）をもとに、番組表表示部（１０）が画面上にカーソルを表示し、カーソルが画面の端にある場合、詳細番組情報のポップアップ表示を画面の中央側に表示するものである。
【００２０】
以上のように、画面の中央側に表示することによりポップアップ表示が画面上に収まらずポップアップ表示が見えなくなることを防ぐ。
【００２１】
（実施の形態３）
図２は、本発明のテレビジョン受信機の他の構成例を記す図である。
【００２２】
図２において、ユーザーが詳細番組情報の内容で必要な項目を選択し、設定を保存しておくユーザー指定詳細番組情報記憶部１１をもち、ユーザー指定詳細番組情報記憶部１１はユーザー指定情報ｈをポップアップ表示構築部８に送信する。ポップアップ表示構築部８はユーザー指定情報ｈにそって指定されている詳細番組情報の項目をポップアップ表示データｆとして番組表表示部１０へ送信する。ユーザー指定情報ｈにそって構築されたポップアップ表示データｆは、（実施の形態１）に記載のテレビジョン受信機の手順と同様に、ポップアップ表示制御部９のポップアップ表示ＯＮ／ＯＦＦ制御データｇによって、ユーザーが選択した詳細番組情報のみがポップアップ表示される。
【００２３】
以上のように、本実施の形態例によれば、番組表の上にポップアップ表示として詳細情報を描画することができるとともに、ユーザーの所望する詳細情報のみを表示できるので、必要のない詳細情報を画面に表示せず、より視認性の高い番組表を表示することができる。
【００２４】
（実施の形態４）
図３は、本発明のテレビジョン受信機の他の構成例を記す図である。
【００２５】
図３において、詳細番組情報ｃの内容の項目ごとにメニュー構造を構築する詳細番組情報メニュー構築部１２をもち、詳細番組情報メニュー構築部１２で構築された詳細番組情報メニューデータｉは、ポップアップ表示構築部８に送信される。
【００２６】
ポップアップ表示構築部８は、詳細番組情報メニューデータｉにそってメニュー構造をもつポップアップ表示データｆを構築し、番組表表示部１０に送信する。詳細番組情報メニューデータｉにそって構築されたポップアップ表示データｆは、（実施の形態１）に記載の手順と同様に、ポップアップ表示制御部９のポップアップ表示ＯＮ／ＯＦＦ制御データｇによって詳細番組情報メニューが表示されユーザーは、メニュー操作受信部１３によって詳細番組情報メニュー選択されたメニュー項目の内容をポップアップ表示内に表示する。
【００２７】
（実施の形態５）
図４は、本発明のテレビジョン受信機の他の構成例を記す図である。
【００２８】
図４において、（実施の形態３）に記載したテレビジョン受信機のユーザー選択詳細番組表示と、（実施の形態４）の詳細番組表示メニュー構造の両方の機能を持つもので、ユーザー指定詳細情報記憶部１１ではユーザー指定情報ｈを、また詳細番組情報メニュー構築部１２では詳細番組情報メニューデータｉをポップアップ表示構築部８へ送信する。
【００２９】
ポップアップ表示構築部８では、受け取った情報をもとにユーザーが指定した詳細番組情報とその他の詳細番組情報をメニュー形式で表示することによって、ユーザーは請求項３のように指定した詳細番組情報だけでなくその他の詳細情報もメニューを選択することによって表示できるようになる。
【００３０】
【発明の効果】
以上のように説明した本発明によれば、詳細番組情報を表示する番組表において、画面上の番組表表示の一部を詳細番組情報表示領域に割り当てて表示したり、詳細番組情報の内容の一部をある特定データに変換して番組表内に表示するなどの、番組表の視認性を損なうことなく、ユーザーが一部の番組の詳細情報をポップアップ表示として容易に得ることができる。
【図面の簡単な説明】
【図１】本発明の実施の形態１に関わるテレビジョン受信機の構成図
【図２】本発明の実施の形態３に関わるテレビジョン受信機の構成図
【図３】本発明の実施の形態４に関わるテレビジョン受信機の構成図
【図４】本発明の実施の形態５に関わるテレビジョン受信機の構成図
【符号の説明】
１  放送受信部
２  番組情報取得部
３  番組情報記憶部
４  番組情報読み出し部
５  番組表構築部
６  ユーザー操作受信部
７  カーソル位置保持部
８  ポップアップ表示構築部
９  ポップアップ表示制御部
１０  番組表表示部
１１  ユーザー指定情報記憶部
１２  詳細番組情報メニュー構築部
１３  メニュー操作受信部
【図１】
2005020354.tif 000003
【図２】
2005020354.tif 000004
【図３】
2005020354.tif 000005
【図４】
2005020354.tif 000006